(57)【特許請求の範囲】
【請求項１】
複数の矩形領域が組み合わされて、照明の制御領域を表している複数のモチーフを記憶しているモチーフ記憶手段と、
フロア内の座席の位置を示す座席位置情報を記憶している座席位置情報記憶手段と、
フロア内の照明の位置を示す照明位置情報を記憶している照明位置情報記憶手段と、
上記モチーフ記憶手段により記憶されている複数のモチーフの中から、利用者毎の所望のモチーフの選択を受け付ける選択受付手段と、
上記座席位置情報記憶手段により記憶されている座席位置情報を参照して利用者毎の座席の位置をそれぞれ特定し、利用者の座席の位置と上記選択受付手段により選択が受け付けられたモチーフとから、利用者それぞれの座席を中心とする照明の制御領域を特定する照明制御領域特定手段と、
上記照明位置情報記憶手段により記憶されている照明位置情報を参照して、上記照明制御領域特定手段により特定された制御領域内に存在している照明を特定し、上記照明を制御対象の照明に設定する制御対象照明設定手段と、
利用者が在席中であるか否かを判定する在席判定手段と、
上記制御対象照明設定手段により制御対象に設定された照明の調光レベルを上記在席判定手段の判定結果に応じて制御する調光レベル制御手段とを備えた照明制御装置。
【請求項２】
利用者の座席と制御対象の照明間の距離に対応する在席中及び退席中の調光レベルを記憶している対応関係記憶手段が設けられている場合、
調光レベル制御手段は、利用者の座席と上記制御対象照明設定手段により制御対象に設定された照明との間の距離を算出し、上記在席判定手段の判定結果が在席している旨を示していれば、上記照明の調光レベルが上記対応関係記憶手段により記憶されている上記距離に対応する在席中の調光レベルと一致するように制御し、上記在席判定手段の判定結果が退席している旨を示していれば、上記制御対象照明設定手段により制御対象に設定された照明の調光レベルが上記対応関係記憶手段により記憶されている上記距離に対応する退席中の調光レベルと一致するように制御することを特徴とする請求項１記載の照明制御装置。
【請求項３】
上記照明制御領域特定手段により特定された複数の利用者に係る照明の制御領域の一部が重複しており、重複している部分に存在している照明が上記制御対象照明設定手段によって制御対象の照明に重複設定された場合、
上記調光レベル制御手段は、上記照明の調光レベルを上記在席判定手段の判定結果に応じて制御する際、一部が重複している制御領域毎に重複設定されている照明の調光レベルを求めて、複数の調光レベルの中で最も高い調光レベルを選択し、上記照明の調光レベルが最も高い調光レベルと一致するように制御することを特徴とする請求項１または請求項２記載の照明制御装置。
【請求項４】
上記調光レベル制御手段は、利用者が退席中でも点灯させておく照明が存在する場合、上記在席判定手段の判定結果が退席している旨を示していても、上記照明の調光レベルを０％以外の値に制御することを特徴とする請求項１から請求項３のうちのいずれか１項記載の照明制御装置。
【請求項５】
複数の座席の在席状態の組み合わせ毎に、各照明の調光レベルが記録されている制御テーブルが用意されている場合、
上記調光レベル制御手段は、上記制御テーブルから上記在席判定手段の判定結果に対応する在席状態の組み合わせに係る各照明の調光レベルを読み出し、上記制御対象照明設定手段により制御対象に設定された照明の調光レベルが読み出した調光レベルと一致するように制御することを特徴とする請求項１記載の照明制御装置。
【請求項６】
利用者の座席毎に、利用者が在席中の目標の照度が設定されている場合、利用者の座席の照度が目標の照度と一致する条件の下で、利用者の座席から最近傍の照明の調光レベルを設定し、上記調光レベルを基点にして、利用者の座席から遠い照明ほど低い調光レベルを設定する調光レベル設定手段を設け、
上記調光レベル制御手段は、上記制御対象照明設定手段により制御対象に設定された照明の調光レベルが上記調光レベル設定手段により設定された調光レベルと一致するように制御することを特徴とする請求項１記載の照明制御装置。
【請求項７】
利用者の座席毎に、利用者が在席中の目標の照度が設定されている場合、利用者の座席の照度が目標の照度と一致する条件の下で、上記制御対象照明設定手段により制御対象に設定された照明の消費電力の総和が最小になる調光レベルを設定する調光レベル設定手段を設け、
上記調光レベル制御手段は、上記制御対象照明設定手段により制御対象に設定された照明の調光レベルが上記調光レベル設定手段により設定された調光レベルと一致するように制御することを特徴とする請求項１記載の照明制御装置。
【請求項８】
上記モチーフ記憶手段、上記座席位置情報記憶手段、上記照明位置情報記憶手段、上記選択受付手段、上記照明制御領域特定手段、上記制御対象照明設定手段、上記在席判定手段及び上記調光レベル制御手段が、照明コントローラ内に実装されていることを特徴とする請求項１から請求項７のうちのいずれか１項記載の照明制御装置。
【発明の詳細な説明】
【技術分野】
【０００１】
この発明は、建物の各フロア内の照明の調光レベルを制御する照明制御装置に関するものである。
【背景技術】
【０００２】
近年、建物の各フロア内に設置されている照明の消費電力量を最小化するために、人が存在しておらず、照明を点灯する必要が無い領域を検出し、必要最低限の照明だけを必要最低限の調光レベルで点灯させる仕組みを備える照明制御装置が提案されている。
例えば、以下の特許文献１に開示されている照明制御装置では、照明に取り付けられている検知センサが動態を検知して、人が在席している座席を特定し、その座席の上に取り付けられている照明だけを点灯することで消費電力量を削減するようにしている。
しかし、この照明制御装置では、人が在席している座席の位置がフロア内で疎らであるような場合、在席者の座席の最近傍に設置されている照明のみが点灯して、在席者の座席の周囲に設置されている照明が消灯（または減光）し、在席者の快適性が著しく損なわれてしまうことがある。
【０００３】
以下の特許文献２に開示されている照明制御装置では、人が在席している座席の位置がフロア内で疎らであるような場合でも、在席者の快適性が著しく損なわれることがないようにするために、個別に制御可能な照明をフロア内で相互にネットワーク接続するとともに、各々の照明に取り付けられている検知センサが動態を検知することで、照明と在席者間の距離が遠のく程、調光レベルが徐々に低くなるように照明を制御している。即ち、照明の調光レベルを距離に応じて固定の５段階に設定することで、在席者直下の照明を１００％の調光レベルで点灯し、十分遠方の照明を０％の調高レベルで消灯する制御を行っている。
【先行技術文献】
【特許文献】
【０００４】
【特許文献１】特開２００１-２５０６９５号公報（段落番号［０００５］）
【特許文献２】特開平７-３１２２９４号公報（段落番号［０００７］）
【発明の概要】
【発明が解決しようとする課題】
【０００５】
従来の照明制御装置は以上のように構成されているので、利用者が在席している座席と照明との間の距離が同じであれば、利用者の前方の照明も、後方の照明も、左右の照明も一律の調光レベルに制御される。このため、例えば後方の照明は多少暗くてもよいが、前方や左右の照明はもう少し明るくして欲しいなどの利用者毎の細かな要求には対応することができず、利用者によっては高い快適性が得られないなどの課題があった。
【０００６】
この発明は上記のような課題を解決するためになされたもので、利用者毎の細かな要求を満足して、利用者の快適性を高めることができる照明制御装置を得ることを目的とする。
【課題を解決するための手段】
【０００７】
この発明に係る照明制御装置は、複数の矩形領域が組み合わされて、照明の制御領域を表している複数のモチーフを記憶しているモチーフ記憶手段と、フロア内の座席の位置を示す座席位置情報を記憶している座席位置情報記憶手段と、フロア内の照明の位置を示す照明位置情報を記憶している照明位置情報記憶手段と、モチーフ記憶手段により記憶されている複数のモチーフの中から、利用者毎の所望のモチーフの選択を受け付ける選択受付手段と、座席位置情報記憶手段により記憶されている座席位置情報を参照して利用者毎の座席の位置をそれぞれ特定し、利用者の座席の位置と選択受付手段により選択が受け付けられたモチーフとから、利用者それぞれの座席を中心とする照明の制御領域を特定する照明制御領域特定手段と、照明位置情報記憶手段により記憶されている照明位置情報を参照して、照明制御領域特定手段により特定された制御領域内に存在している照明を特定し、照明を制御対象の照明に設定する制御対象照明設定手段と、利用者が在席中であるか否かを判定する在席判定手段と、制御対象照明設定手段により制御対象に設定された照明の調光レベルを在席判定手段の判定結果に応じて制御する調光レベル制御手段とを備えたものである。
【発明の効果】
【０００８】
この発明によれば、複数の矩形領域が組み合わされて、照明の制御領域を表している複数のモチーフを記憶しているモチーフ記憶手段と、フロア内の座席の位置を示す座席位置情報を記憶している座席位置情報記憶手段と、フロア内の照明の位置を示す照明位置情報を記憶している照明位置情報記憶手段と、モチーフ記憶手段により記憶されている複数のモチーフの中から、所望のモチーフの選択を受け付ける選択受付手段と、座席位置情報記憶手段により記憶されている座席位置情報を参照して利用者の座席の位置を特定し、利用者の座席の位置と選択受付手段により選択が受け付けられたモチーフとから、利用者の座席を中心とする照明の制御領域を特定する照明制御領域特定手段と、照明位置情報記憶手段により記憶されている照明位置情報を参照して、照明制御領域特定手段により特定された制御領域内に存在している照明を特定し、その照明を制御対象の照明に設定する制御対象照明設定手段と、利用者が在席中であるか否かを判定する在席判定手段とを設け、調光レベル制御手段が、制御対象照明設定手段により制御対象に設定された照明の調光レベルを在席判定手段の判定結果に応じて制御するように構成したので、利用者毎の細かな要求を満足して、利用者の快適性を高めることができる効果がある。
【図面の簡単な説明】
【０００９】
【図１】この発明の実施の形態１による照明制御装置を示す構成図である。
【図２】図１の照明制御装置により制御される照明と座席のフロア内の位置関係を示す説明図である。
【図３】この発明の実施の形態１による照明制御装置の制御機器４を示す構成図である。
【図４】この発明の実施の形態１による照明制御装置の制御機器４の処理内容の一部を示すフローチャートである。
【図５】モチーフ記憶部１１により記憶されている複数のモチーフの形状を示す説明図である。
【図６】モチーフ記憶部１１に格納されているモチーフテーブルの一例を示す説明図である。
【図７】座席位置情報記憶部１２に格納されている座席位置情報テーブルの一例を示す説明図である。
【図８】照明情報記憶部１３に格納されている照明情報テーブルの一例を示す説明図である。
【図９】調光レベル記憶部１４に格納されている制御テーブルの一例を示す説明図である。
【図１０】この発明の実施の形態２による照明制御装置の制御機器４を示す構成図である。
【図１１】対応関係記憶部２１により記憶されている利用者の座席と制御対象の照明間の距離に対応する在席中及び退席中の調光レベルを示す説明図である。
【図１２】調光レベル記憶部１４に格納されている制御テーブルの一例を示す説明図である。
【図１３】２つの制御領域の一部が重複している場合を示す説明図である。
【図１４】フロア内の全ての座席２の在席状態（在席中、退席中）の組み合わせ毎に、各照明１の調光レベルが記録されている制御テーブルを示す説明図である。
【図１５】この発明の実施の形態８による照明制御装置を示す構成図である。
【発明を実施するための形態】
【００１０】
実施の形態１．
図１はこの発明の実施の形態１による照明制御装置を示す構成図である。
図２は図１の照明制御装置により制御される照明と座席のフロア内の位置関係を示す説明図である。
図２の例では、照明１は縦長の□で表し、座席２は○で表している。
図１において、動態検知装置３はフロアの出入り口の近傍やフロア内に設置され、動態の動きを検知して、例えば、Ｅｔｈｅｒｎｅｔ（登録商標）などのネットワーク経由で動態検知信号（例えば、利用者ＩＤと、フロアへの入室又はフロアからの退室を示す属性情報とを含む）を制御機器４に送信する装置である。
【００１１】
制御機器４は動態検知装置３と同系統のネットワークに接続されており、動態検知装置３から送信された動態検知信号を受信し、その動態検知信号にしたがって照明１の調光レベルを指示する制御命令を照明コントローラ５に送信する機能を備えている装置である。
照明コントローラ５は制御機器４と同系統のネットワークに接続されており、制御機器４から送信された制御命令を受信する機能のほか、複数台接続されている照明１の中から、その制御命令によって調光レベルを制御する照明１を特定し、その制御命令にしたがって当該照明１の調光レベルを制御する装置である。
なお、照明１は照明コントローラ５の制御の下、調光レベルを最大１％単位で任意に変更することが可能な器具である。
【００１２】
図３はこの発明の実施の形態１による照明制御装置の制御機器４を示す構成図である。
図３において、モチーフ記憶部１１は例えばＲＡＭやハードディスクなどの記憶装置から構成されており、複数の矩形領域が組み合わされて、照明１の制御領域を表している複数のモチーフを記憶している。
即ち、モチーフ記憶部１１には、モチーフを識別するモチーフＩＤと、当該モチーフを構成する矩形領域の基点座標（矩形領域の左上の点のＸ座標，Ｙ座標）及び終点座標（矩形領域の右下の点のＸ座標，Ｙ座標）とが紐付けられているモチーフテーブルが格納されている。
なお、モチーフ記憶部１１はモチーフ記憶手段を構成している。
【００１３】
座席位置情報記憶部１２は例えばＲＡＭやハードディスクなどの記憶装置から構成されており、フロア内の座席２の位置を示す座席位置情報を記憶している。
即ち、座席位置情報記憶部１２には、フロア内の座席２を一意に示す識別子である座席ＩＤと、当該座席２の位置を示す位置情報（例えば、座席の中心のＸ座標，Ｙ座標）とが紐付けられている座席位置情報テーブルが格納されている。
なお、座席位置情報記憶部１２は座席位置情報記憶手段を構成している。
【００１４】
照明情報記憶部１３は例えばＲＡＭやハードディスクなどの記憶装置から構成されており、フロア内の照明１の位置を示す照明位置情報などを記憶している。
即ち、照明情報記憶部１３には、フロア内の照明１を一意に示す識別子である照明ＩＤと、当該照明１の位置を示す位置情報（例えば、照明の中心のＸ座標，Ｙ座標）と、当該照明１に対して制御命令を送信する際に必要な照明１のアドレス情報とが紐付けられている照明情報テーブルが格納されている。
なお、照明情報記憶部１３は照明位置情報記憶手段を構成している。
【００１５】
調光レベル記憶部１４は例えばＲＡＭやハードディスクなどの記憶装置から構成されており、制御対象照明設定部１７によって、利用者が在席中である場合の照明１の調光レベルと退席中である場合の照明１の調光レベルが書き込まれる。
即ち、調光レベル記憶部１４には、座席ＩＤと、照明ＩＤと、在席中の調光レベルと、退席中の調光レベルとが紐付けられている制御テーブルが格納されている。
【００１６】
選択受付部１５は例えばキーボード・マウスやディスプレイなどのマンマシンインタフェースから構成されており、モチーフ記憶部１１により記憶されている複数のモチーフの中から、所望のモチーフの選択を受け付ける処理を実施する。なお、選択受付部１５は選択受付手段を構成している。
【００１７】
照明制御領域特定部１６は例えばＣＰＵを実装している半導体集積回路、あるいは、ワンチップマイコンなどから構成されており、座席位置情報記憶部１２により記憶されている座席位置情報を参照して、選択受付部１５を操作して所望のモチーフを選択している利用者の座席２の位置を特定し、利用者の座席２の位置と、その所望のモチーフとから、利用者の座席２を中心とする照明１の制御領域を特定する処理を実施する。なお、照明制御領域特定部１６は照明制御領域特定手段を構成している。
【００１８】
制御対象照明設定部１７は例えばＣＰＵを実装している半導体集積回路、あるいは、ワンチップマイコンなどから構成されており、照明情報記憶部１３により記憶されている照明位置情報を参照して、照明制御領域特定部１６により特定された制御領域内に存在している照明１を特定し、その照明１を制御対象の照明に設定する処理を実施する。
また、制御対象照明設定部１７は利用者の座席ＩＤと、制御対象の照明１の照明ＩＤと、在席中の調光レベルと、退席中の調光レベルとを調光レベル記憶部１４に格納されている制御テーブルに記録する処理を実施する。
なお、制御対象照明設定部１７は制御対象照明設定手段及び調光レベル制御手段を構成している。
【００１９】
在席判定部１８は例えばＣＰＵを実装している半導体集積回路、あるいは、ワンチップマイコンなどから構成されており、動態検知装置３から送信された動態検知信号を受信し、その動態検知信号を参照して、利用者が在席中であるか否かを判定する処理を実施する。なお、在席判定部１８は在席判定手段を構成している。
調光レベル制御部１９は例えばＣＰＵを実装している半導体集積回路、あるいは、ワンチップマイコンなどから構成されており、調光レベル記憶部１４から在席判定部１８の判定結果に対応する調光レベルを読み出し、制御対象照明設定部１７により制御対象に設定された照明１の調光レベルが読み出した調光レベルと一致するように制御する処理を実施する。なお、調光レベル制御部１９は調光レベル制御手段を構成している。
【００２０】
図３では、制御機器４の構成要素であるモチーフ記憶部１１、座席位置情報記憶部１２、照明情報記憶部１３、調光レベル記憶部１４、選択受付部１５、照明制御領域特定部１６、制御対象照明設定部１７、在席判定部１８及び調光レベル制御部１９のそれぞれが専用のハードウェアで構成されている例を示しているが、制御機器４の全部又は一部がコンピュータで構成されていてもよい。この場合、選択受付部１５、照明制御領域特定部１６、制御対象照明設定部１７、在席判定部１８及び調光レベル制御部１９の処理内容の全部又は一部が記述されているプログラムを当該コンピュータのメモリに格納し、当該コンピュータのＣＰＵが当該メモリに格納されているプログラムを実行するようにすればよい。
図４はこの発明の実施の形態１による照明制御装置の制御機器４の処理内容の一部を示すフローチャートである。
【００２１】
次に動作について説明する。
利用者は、例えば、動態検知装置３と無線通信可能なＩＣカード等を携帯しており、例えば、動態検知装置３が設置されているフロアの出入り口に近づくと、利用者が携帯しているＩＣカードに記憶されている利用者ＩＤが動態検知装置３に送信される。
動態検知装置３は、利用者が携帯しているＩＣカードから送信された利用者ＩＤを受信し、その利用者ＩＤを管理することで、その利用者がフロア内に入ってきたのか、フロアから出て行ったのかを把握する。
【００２２】
例えば、動態検知装置３がフロアの出入り口の外側と内側に設置されている場合、外側に設置されている動態検知装置３が利用者ＩＤを受信してから、内側に設置されている動態検知装置３が同じ利用者ＩＤを受信すれば、その利用者がフロア内に入ってきたものと判断する。
逆に、内側に設置されている動態検知装置３が利用者ＩＤを受信してから、外側に設置されている動態検知装置３が同じ利用者ＩＤを受信すれば、その利用者がフロアから出て行ったものと判断する。
動態検知装置３は、利用者の入退室を判断すると、利用者ＩＤと、入室又は退室を示す属性情報とを含む動態検知信号をネットワーク経由で制御機器４に送信する。
【００２３】
ここでは、動態検知装置３がフロアの出入り口の外側と内側に設置されている例を示したが、動態検知装置３が動態の移動方向を検出する機能を備えていれば、出入り口の外側又は内側の一方に設置されるだけで、利用者がフロア内に入ってきたのか、フロアから出て行ったのかを把握することができる。
また、ここでは、動態検知装置３がＩＣカードに記憶されている利用者ＩＤを受信することで、動態検知装置３が利用者の入退室を判断するものを示したが、これは一例に過ぎず、他の方法で、利用者の入退室を判断するようにしてもよい。例えば、利用者の顔を撮影して、予め登録されている顔画像と照合することで、当該利用者を特定して、利用者の入退室を判断するようにしてもよい。
【００２４】
利用者は、制御対象の照明１を選択する際、選択受付部１５を操作して、モチーフの選択要求を入力する。
選択受付部１５は、利用者がモチーフの選択要求を入力すると、モチーフ記憶部１１により記憶されている複数のモチーフをディスプレイに表示する。
図５はモチーフ記憶部１１により記憶されている複数のモチーフの形状を示す説明図である。
図５の例では、左側のモチーフは５個の矩形領域から構成されており、利用者の座席がある矩形領域と、その周辺４箇所の矩形領域（利用者の座席の前方、後方、左側及び右側の４箇所の領域）を照明の制御領域としている。
中央のモチーフは７個の矩形領域から構成され、利用者の座席がある矩形領域と、その周辺６箇所の矩形領域（利用者の座席の後方左側及び後方右側を除く領域）を照明の制御領域としている。
また、右側のモチーフは７個の矩形領域から構成され、利用者の座席がある矩形領域と、その周辺６箇所の矩形領域（利用者の座席の前方左側及び前方右側を除く領域）を照明の制御領域としている。
【００２５】
利用者は、選択受付部１５のディスプレイに表示されている複数のモチーフの中から、選択受付部１５を操作して、所望のモチーフを１つ選択する（ステップＳＴ１）。
選択受付部１５は、利用者が所望のモチーフを選択すると、モチーフ記憶部１１に格納されているモチーフテーブルから当該モチーフのモチーフＩＤと、当該モチーフを構成している複数の矩形領域の基点座標及び終点座標とを読み出し、そのモチーフＩＤと、矩形領域の基点座標及び終点座標と、利用者ＩＤとを照明制御領域特定部１６に出力する。
例えば、利用者が図５の中央のモチーフを選択している場合、当該モチーフのモチーフＩＤと一緒に、７個の矩形領域の基点座標及び終点座標が照明制御領域特定部１６に出力される。
ここで、図６はモチーフ記憶部１１に格納されているモチーフテーブルの一例を示す説明図である。
【００２６】
照明制御領域特定部１６は、選択受付部１５から利用者ＩＤ、モチーフＩＤ及び矩形領域の基点座標・終点座標を受けると、座席位置情報記憶部１２に格納されている座席位置情報テーブルから、その利用者ＩＤに対応する座席ＩＤ（座席ＩＤは、利用者ＩＤと一対一で対応しているので、座席ＩＤと利用者ＩＤの対応関係を示す図示せぬテーブルを参照することで、選択受付部１５から出力された利用者ＩＤから座席ＩＤを特定することができる）と紐付けられている当該利用者の座席２の位置を示す位置情報（座席２の中心のＸ座標，Ｙ座標）を取得する（ステップＳＴ２）。
図７は座席位置情報記憶部１２に格納されている座席位置情報テーブルの一例を示す説明図である。
【００２７】
照明制御領域特定部１６は、利用者の座席２の位置を示す位置情報（座席２の中心のＸ座標，Ｙ座標）を取得すると、利用者の座席２の位置と、選択受付部１５から出力されたモチーフを構成している複数の矩形領域の基点座標・終点座標とを参照して、利用者の座席２を中心とする照明の制御領域を特定する（ステップＳＴ３）。
即ち、照明制御領域特定部１６は、複数の矩形領域の基点座標・終点座標を、利用者の座席２の位置を中心とする座標系に変換し、座標変換後の複数の矩形領域を照明の制御領域として特定する。
【００２８】
図７の座席位置情報テーブルでは、例えば、座席ＩＤが“Ｃ”である場合、利用者の座席２の位置のＸ座標が“３．４”、Ｙ座標が“３２．３”である。
また、図６のモチーフテーブルでは、例えば、所望のモチーフのモチーフＩＤが“１０１”である場合、当該モチーフを構成している複数の矩形領域として、５個の矩形領域が記載されているが、その中の１つの矩形領域（例えば、１番上の矩形領域）に着目すると、この矩形領域の基点及び終点のＸ座標及びＹ座標は、下記のように変換される。
基点のＸ座標  −１．５  →    １．９  
基点のＹ座標    １．５  →  ３３．８
終点のＸ座標    １．５  →    ４．９
終点のＹ座標  −１．５  →  ３０．８
【００２９】
制御対象照明設定部１７は、照明制御領域特定部１６が照明の制御領域を特定すると、照明情報記憶部１３に格納されている照明情報テーブルから、フロア内の全ての照明１の照明ＩＤと、照明１の位置を示す位置情報（例えば、照明の中心のＸ座標，Ｙ座標）とを取得する（ステップＳＴ４）。
図８は照明情報記憶部１３に格納されている照明情報テーブルの一例を示す説明図である。
【００３０】
制御対象照明設定部１７は、全ての照明１の照明ＩＤと位置情報を取得すると、個々の照明１毎に、下記のステップＳＴ６〜ＳＴ８の処理を実施する（ステップＳＴ５）。
即ち、制御対象照明設定部１７は、個々の照明１毎に、照明１の位置情報（Ｘ座標，Ｙ座標）と、照明制御領域特定部１６により特定された制御領域の基点座標・終点座標とを比較することで（ステップＳＴ６）、照明１の位置が当該制御領域内に含まれているか否かを判定する（ステップＳＴ７）。
このとき、照明１は大きさを持たず、照明の位置情報（Ｘ座標，Ｙ座標）が示す位置が、制御領域を構成している矩形領域内に含まれているか否かだけで判断するものとする。
制御対象照明設定部１７は、照明１の位置が当該制御領域内に含まれている場合、その照明１を制御対象の照明に設定するため、利用者の座席ＩＤと当該照明の照明ＩＤとを調光レベル記憶部１４に格納されている制御テーブルに記録する（ステップＳＴ８）。
図９は調光レベル記憶部１４に格納されている制御テーブルの一例を示す説明図である。
【００３１】
制御対象照明設定部１７は、全ての照明１について、ステップＳＴ６〜ＳＴ８の処理を実施すると（ステップＳＴ５）、図９の制御テーブルに照明ＩＤが記録されている全ての照明１における在席中の調光レベルを一律に７０％に設定して、その調光レベルを図９の制御テーブルに記録する（ステップＳＴ９）。
ここでは、在席中の調光レベルを一律に７０％に設定しているが、これは一例に過ぎず、在席中の調光レベルを７０％以外の値（例えば、６５％，７５％，８０％）に設定してもよい。
また、制御対象照明設定部１７は、図９の制御テーブルに照明ＩＤが記録されている全ての照明１における退席中の調光レベルを一律に０％に設定して、その調光レベルを図９の制御テーブルに記録する（ステップＳＴ１０）。
ここでは、退席中の調光レベルを一律に０％に設定しているが、これは一例に過ぎず、退席中の調光レベルを０％以外の値（例えば、３％，５％，７％）に設定してもよい。
【００３２】
在席判定部１８は、動態検知装置３から送信された動態検知信号を受信すると、その動態検知信号を参照して、利用者が在席中であるか否かを判定する。
即ち、在席判定部１８は、動態検知信号に含まれている利用者ＩＤと、入室又は退室を示す属性情報とを参照することで、その利用者ＩＤに対応する座席ＩＤが示す座席２が在席中であるのか、退席中であるのかを判定する。
例えば、動態検知信号に含まれている属性情報が入室を示していれば、その利用者ＩＤに対応する座席ＩＤが示す座席２が在席中であると判断し、動態検知信号に含まれている属性情報が退室を示していれば、その利用者ＩＤに対応する座席ＩＤが示す座席２が退席中であると判断する。
【００３３】
調光レベル制御部１９は、在席判定部１８が在席中であると判断している座席２については、調光レベル記憶部１４に格納されている制御テーブルから、その座席２の座席ＩＤと対応付けられている照明ＩＤの在席中の調光レベル（図９の例では、７０％の調光レベル）を読み出し、その調光レベルと、その照明ＩＤを有する照明１のアドレス（図８の例では、照明ＩＤが“ａ”であれば、アドレスは“ＡＯ０３４０”である）とを含む制御命令をネットワーク経由で照明コントローラ５に送信する。
一方、在席判定部１８が退席中であると判断している座席２については、調光レベル記憶部１４に格納されている制御テーブルから、その座席２の座席ＩＤと対応付けられている照明ＩＤの退席中の調光レベル（図９の例では、０％の調光レベル）を読み出し、その調光レベルと、その照明ＩＤを有する照明１のアドレスとを含む制御命令をネットワーク経由で照明コントローラ５に送信する。
【００３４】
照明コントローラ５は、制御機器４の調光レベル制御部１９から送信された制御命令を受信すると、複数台接続されている照明１の中から、その制御命令に含まれているアドレスの照明１を特定し、その照明１の調光レベルが制御命令に含まれている調光レベルと一致するように制御する。
【００３５】
以上で明らかなように、この実施の形態１によれば、複数の矩形領域が組み合わされて、照明１の制御領域を表している複数のモチーフを記憶しているモチーフ記憶部１１と、フロア内の座席２の位置を示す座席位置情報を記憶している座席位置情報記憶部１２と、フロア内の照明１の位置を示す照明位置情報を記憶している照明情報記憶部１３と、モチーフ記憶部１１により記憶されている複数のモチーフの中から、利用者毎の所望のモチーフの選択を受け付ける選択受付部１５と、座席位置情報記憶部１２により記憶されている座席位置情報を参照して利用者の座席２の位置をそれぞれ特定し、利用者の座席２の位置と選択受付部１５により選択が受け付けられたモチーフとから、利用者それぞれの座席２を中心とする照明１の制御領域を特定する照明制御領域特定部１６と、照明情報記憶部１３により記憶されている照明位置情報を参照して、照明制御領域特定部１６により特定された制御領域内に存在している照明１を特定し、その照明１を制御対象の照明に設定する制御対象照明設定部１７と、利用者が在席中であるか否かを判定する在席判定部１８と、制御対象照明設定部１７により制御対象に設定された照明１の調光レベルを在席判定図１８の判定結果に応じて制御する調光レベル制御部１９とを備えるように構成したので、利用者毎の細かな要求を満足して、利用者の快適性を高めることができる効果を奏する。
【００３６】
即ち、利用者が在席時に点灯して欲しいと思われる照明１の割り当てを利用者の任意の判断で選択することが可能になると同時に、点灯する照明１の数や調光レベルを最小限に抑えることができるため、照明１の消費電力量を最小化することが可能になる。
この方式を用いることにより、例えば、利用者１人１人に照明１台１台を個別に割り当てるような煩雑な手間を軽減し、利用者が求める照明１の割り当てを容易に決定することが可能になる。
【００３７】
実施の形態２．
上記実施の形態１では、制御対象照明設定部１７が、制御テーブルに照明ＩＤが記録されている全ての照明１における在席中及び退席中の調光レベルを一律に設定して、その調光レベルを制御テーブルに記録するものを示したが、利用者の座席２と制御対象の照明１との間の距離を算出し、その距離に対応する在席中及び退席中の調光レベルを設定して、その調光レベルを制御テーブルに記録するようにしてもよい。
【００３８】
図１０はこの発明の実施の形態２による照明制御装置の制御機器４を示す構成図であり、図において、図３と同一符号は同一または相当部分を示すので説明を省略する。
対応関係記憶部２１は例えばＲＡＭやハードディスクなどの記憶装置から構成されており、利用者の座席２と制御対象の照明間の距離に対応する在席中の調光レベルと、その距離に対応する退席中の調光レベルとを記憶している。なお、対応関係記憶部２１は対応関係記憶手段を構成している。
【００３９】
制御対象照明設定部２２は例えばＣＰＵを実装している半導体集積回路、あるいは、ワンチップマイコンなどから構成されており、図３の制御対象照明設定部１７と同様に、照明情報記憶部１３により記憶されている照明位置情報を参照して、照明制御領域特定部１６により特定された制御領域内に存在している照明１を特定し、その照明１を制御対象の照明に設定する処理を実施する。
また、制御対象照明設定部２２は利用者の座席ＩＤと、制御対象の照明１の照明ＩＤとを調光レベル記憶部１４に格納されている制御テーブルに記録するとともに、利用者の座席２と制御対象の照明１との間の距離を算出し、対応関係記憶部２１から当該距離に対応する在席中及び退席中の調光レベルを読み出して、在席中及び退席中の調光レベルを当該制御テーブルに記録する処理を実施する。
なお、制御対象照明設定部２２は制御対象照明設定手段及び調光レベル制御手段を構成している。
【００４０】
図１０では、制御機器４の構成要素であるモチーフ記憶部１１、座席位置情報記憶部１２、照明情報記憶部１３、調光レベル記憶部１４、対応関係記憶部２１、選択受付部１５、照明制御領域特定部１６、制御対象照明設定部２２、在席判定部１８及び調光レベル制御部１９のそれぞれが専用のハードウェアで構成されている例を示しているが、制御機器４の全部又は一部がコンピュータで構成されていてもよい。この場合、選択受付部１５、照明制御領域特定部１６、制御対象照明設定部２２、在席判定部１８及び調光レベル制御部１９の処理内容の全部又は一部を記述しているプログラムを当該コンピュータのメモリに格納し、当該コンピュータのＣＰＵが当該メモリに格納されているプログラムを実行するようにすればよい。
【００４１】
次に動作について説明する。
対応関係記憶部２１及び制御対象照明設定部２２以外は、上記実施の形態１と同様であるため、主に対応関係記憶部２１及び制御対象照明設定部２２の処理内容を説明する。
対応関係記憶部２１には、図１１に示すように、利用者の座席２と制御対象の照明間の距離に対応する在席中の調光レベルと、その距離に対応する退席中の調光レベルとが記憶されている。
図１１の例では、距離が１．５ｍ，２．５ｍ，３．５ｍ及び４ｍである場合の調光レベルを記憶しているが、これは一例に過ぎず、他の距離の場合の調光レベルを記憶するようにしてもよいことは言うまでもない。
【００４２】
制御対象照明設定部２２は、照明制御領域特定部１６が照明の制御領域を特定すると、図３の制御対象照明設定部１７と同様に、照明情報記憶部１３に格納されている照明情報テーブルから、フロア内の全ての照明１の照明ＩＤと、照明１の位置を示す位置情報（例えば、照明の中心のＸ座標，Ｙ座標）とを取得し、個々の照明１毎に、照明１の位置情報（Ｘ座標，Ｙ座標）と、照明制御領域特定部１６により特定された制御領域の基点座標・終点座標とを比較することで、照明１の位置が当該制御領域内に含まれているか否かを判定する。
制御対象照明設定部２２は、照明１の位置が当該制御領域内に含まれている場合、図３の制御対象照明設定部１７と同様に、その照明１を制御対象の照明に設定するため、利用者の座席ＩＤと照明１の照明ＩＤとを調光レベル記憶部１４に格納されている制御テーブルに記録する。
【００４３】
制御対象照明設定部２２は、制御テーブルに照明ＩＤを記録している照明１毎に、当該照明１の位置情報（Ｘ座標，Ｙ座標）と、座席位置情報記憶部１２の座席位置情報テーブルに記憶されている利用者の座席２の位置情報（Ｘ座標，Ｙ座標）とを参照して、利用者の座席２と制御対象の照明１との間の距離Ｌを算出する。
制御対象照明設定部２２は、利用者の座席２と制御対象の照明１との間の距離Ｌを算出すると、対応関係記憶部２１から距離Ｌに対応する在席中及び退席中の調光レベルの読み出しを行う。
【００４４】
具体的には、図１１の例では、距離１．５ｍ，２．５ｍ，３．５ｍ及び４ｍである場合の調光レベルが記憶されているので、例えば、距離Ｌが２ｍである場合、距離１．５ｍと距離２．５ｍの間であるため、距離１．５ｍである場合の在席中及び退席中の調光レベルの読み出しを行う。
また、距離Ｌが３ｍである場合、距離２．５ｍと距離３．５ｍの間であるため、距離２．５ｍである場合の在席中及び退席中の調光レベルの読み出しを行う。
また、距離Ｌが４ｍより長い場合（例えば、距離５ｍ）、最後のレコードである距離４ｍである場合の在席中及び退席中の調光レベルの読み出しを行う。
【００４５】
制御対象照明設定部２２は、距離Ｌに対応する在席中及び退席中の調光レベルの読み出しを行うと、その在席中及び退席中の調光レベルを調光レベル記憶部１４に格納されている制御テーブルに記録する。
図１２は調光レベル記憶部１４に格納されている制御テーブルの一例を示す説明図である。
図１２の制御テーブルには、図９の制御テーブルのような一律の調光レベルではなく、距離Ｌに対応する調光レベルが記録されている。
【００４６】
調光レベル制御部１９は、在席判定部１８が在席中であると判断している座席２については、調光レベル記憶部１４に格納されている制御テーブルから、その座席２の座席ＩＤと対応付けられている照明ＩＤの在席中の調光レベル（図１２の例では、照明ＩＤが“ｂ”であれば７０％、照明ＩＤが“ｃ”であれば３５％の調光レベル）を読み出し、その調光レベルと、その照明ＩＤを有する照明１のアドレス（図８の例では、照明ＩＤが“ａ”であれば、アドレスは“ＡＯ０３４０”である）とを含む制御命令をネットワーク経由で照明コントローラ５に送信する。
一方、在席判定部１８が退席中であると判断している座席２については、調光レベル記憶部１４に格納されている制御テーブルから、その座席２の座席ＩＤと対応付けられている照明ＩＤの退席中の調光レベル（図１２の例では、０％の調光レベル）を読み出し、その調光レベルと、その照明ＩＤを有する照明１のアドレスとを含む制御命令をネットワーク経由で照明コントローラ５に送信する。
【００４７】
以上で明らかなように、この実施の形態２によれば、利用者の座席２と制御対象の照明１との間の距離を算出し、その距離に対応する在席中及び退席中の調光レベルを設定して、その調光レベルを制御テーブルに記録するように構成したので、制御領域内に含まれている全ての照明１の調光レベルを一律に設定する場合よりも、快適性を損なうことなく、照明１の調光レベルを低減させて、照明１の消費電力量を抑制することができる効果を奏する。
また、個別に照明１を選択して、調光レベルを設定する方法と比べて、簡単に照明１の調光レベルを設定することができる効果も奏する。
【００４８】
実施の形態３．
上記実施の形態１，２では、選択受付部１５により選択が受け付けられたモチーフから、利用者の座席２を中心とする照明１の制御領域を特定し、その制御領域内に存在している照明１の調光レベルを制御するものを示したが、複数の利用者が所望のモチーフを選択すると、複数の利用者の座席２の位置が近い場合には、複数のモチーフから特定される複数の制御領域の一部が重複し、複数の制御領域の重複している部分に存在している照明１が、制御対象照明設定部１７（または、制御対象照明設定部２２）によって、制御対象の照明に重複設定されることがある。
図１３は２つの制御領域の一部が重複している場合を示す説明図であり、図１３の例では、２つの箇所で重複している。
【００４９】
この実施の形態３では、制御対象の照明に重複設定されている照明１の調光レベルを、次のようにして設定する。
ここでは説明の便宜上、３つの制御領域Ａ、制御領域Ｂ及び制御領域Ｃの一部が重複しており、その重複部分に存在している照明１の照明ＩＤが“ｆ”であるとする。
制御対象照明設定部１７（または２２）は、照明ＩＤ“ｆ”の照明１が制御領域Ａに含まれている照明であるとして、上記実施の形態１又は上記実施の形態２の方法で、照明ＩＤ“ｆ”の照明１の在席中及び退席中の調光レベルを設定する。
また、制御対象照明設定部１７（または２２）は、照明ＩＤ“ｆ”の照明１が制御領域Ｂに含まれている照明であるとして、上記実施の形態１又は上記実施の形態２の方法で、照明ＩＤ“ｆ”の照明１の在席中及び退席中の調光レベルを設定するとともに、照明ＩＤ“ｆ”の照明１が制御領域Ｃに含まれている照明であるとして、上記実施の形態１又は上記実施の形態２の方法で、照明ＩＤ“ｆ”の照明１の在席中及び退席中の調光レベルを設定する。
【００５０】
制御対象照明設定部１７（または２２）は、照明ＩＤ“ｆ”の照明１が制御領域Ａに含まれている場合の調光レベル、制御領域Ｂに含まれている場合の調光レベル、制御領域Ｃに含まれている場合の調光レベルの中で、最も高い調光レベルを選択する。
例えば、在席中の調光レベルについては、制御領域Ａに含まれている場合の調光レベルが最も高い場合、制御領域Ａに含まれている場合の調光レベルを選択し、退席中の調光レベルについては、制御領域Ｃに含まれている場合の調光レベルが最も高い場合、制御領域Ｃに含まれている場合の調光レベルを選択する。
【００５１】
制御対象照明設定部１７（または２２）は、在席中の調光レベルとして、例えば、制御領域Ａに含まれている場合の調光レベルを選択すると、その調光レベルを照明ＩＤ“ｆ”の照明１の在席中の調光レベルとして、制御テーブルに記録する。
また、退席中の調光レベルとして、例えば、制御領域Ｃに含まれている場合の調光レベルを選択すると、その調光レベルを照明ＩＤ“ｆ”の照明１の退席中の調光レベルとして、制御テーブルに記録する。
【００５２】
以上で明らかなように、この実施の形態３によれば、一部が重複している制御領域毎に重複設定されている照明１の調光レベルを求めて、複数の調光レベルの中で最も高い調光レベルを選択し、その照明１の調光レベルが最も高い調光レベルと一致するように制御するので、例えば、ある座席２が退席状態に変化したときに、周囲の照明１が急に消灯したり、調光レベルが低下したりすることを抑制することができるようになり、利用者の快適性を維持することができる効果を奏する。
【００５３】
実施の形態４．
上記実施の形態１，２では、利用者が退席中である場合、制御対象照明設定部１７（または２２）が、照明１の調光レベルを０％に設定して、その調光レベルを制御テーブルに記録するものを示したが（図９及び図１２を参照）、周囲の在席中の座席が少なくなってきても照明１を点灯させておきたい場所が存在する場合、制御対象照明設定部１７（または２２）が、その場所の照明１の調光レベルを０％以外の値に設定して、その調光レベルを制御テーブルに記録するようにしてもよい。
これにより、その場所の照明１は、周囲の在席中の座席が少なくなってきても点灯状態が維持されるようになり、利用者の要求に柔軟に対応することができる。
【００５４】
実施の形態５．
上記実施の形態１〜４では、調光レベル制御部１９が、利用者が在席中である場合の照明１の調光レベルと、利用者が退席中である場合の照明１の調光レベルとが記録されている制御テーブル（図９及び図１２を参照）から、在席判定部１８の判定結果に対応する照明１の調光レベルを読み出すものを示したが、図１４に示すように、座席ＩＤ毎の状態フィールドと照明ＩＤ毎の調光レベルフィールドを持つことで、フロア内の全ての座席２の在席状態（在席中、退席中）の組み合わせ毎に、各照明１の調光レベルが記録されている制御テーブルを用意するようにしてもよい。
【００５５】
そこで、この実施の形態５では、制御対象照明設定部１７（または２２）が制御テーブルを設定する際、図９及び図１２に示すような制御テーブルではなく、図１４に示すような制御テーブルを設定する。
調光レベル制御部１９は、制御対象照明設定部１７（または２２）が制御テーブルを設定すると、その制御テーブルから在席判定部１８の判定結果に対応する在席状態の組み合わせに係る各照明の調光レベルの読み出しを行う。
図１４の制御テーブルでは、例えば、制御領域内の照明１が、照明ＩＤ“ａ”，“ｂ”の照明である場合、座席ＩＤ“Ａ”の座席２が在席中で、座席ＩＤ“Ｂ”の座席２が退席中であれば、照明ＩＤ“ａ”の照明１の調光レベルとして４４％を読み出し、照明ＩＤ“ｂ”の照明１の調光レベルとして３３％の読み出しを行う。
また、座席ＩＤ“Ａ”の座席２が退席中で、座席ＩＤ“Ｂ”の座席２が在席中であれば、照明ＩＤ“ａ”の照明１の調光レベルとして３２％を読み出し、照明ＩＤ“ｂ”の照明１の調光レベルとして５６％の読み出しを行う。
調光レベル制御部１９は、図１４の制御テーブルから在席判定部１８の判定結果に対応する在席状態の組み合わせに係る各照明の調光レベルの読み出しを行うと、制御領域内の照明１の調光レベルが読み出した調光レベルと一致するように制御する。
【００５６】
以上で明らかなように、この実施の形態５によれば、フロア内の全ての座席２の在席状態（在席中，退席中）の組み合わせ毎に、各照明１の調光レベルが記録されている制御テーブルが用意されている場合、調光レベル制御部１９が、その制御テーブルから在席判定部１８の判定結果に対応する在席状態の組み合わせに係る各照明の調光レベルを読み出し、制御領域内の照明１の調光レベルが読み出した調光レベルと一致するように制御するので、利用者が在席中である場合の照明１の調光レベルと、利用者が退席中である場合の照明１の調光レベルとが記録されている制御テーブル（図９及び図１２を参照）から、在席判定部１８の判定結果に対応する照明１の調光レベルを読み出す場合よりも、調光レベル制御部１９の処理負荷が軽減され、迅速な照明制御処理の実行が可能になる。また、座席２毎に、重複している照明１の調光レベルを優先的に選択していく手間を省略することができるため、演算による負荷を軽減することができる。
【００５７】
実施の形態６．
上記実施の形態１〜５では、利用者が所望のモチーフを選択するものを示したが、さらに、利用者（あるいは、システム管理者）が選択受付部１５を操作して、利用者が在席中の目標の照度を設定するようにしてもよい。
利用者（あるいは、システム管理者）が選択受付部１５を操作して、利用者が在席中の目標の照度を設定した場合、調光レベル設定手段を構成する制御対象照明設定部１７（または２２）が、利用者の座席２の照度１が目標の照度と一致する条件の下で、利用者の座席２から最近傍の照明１の調光レベルを設定し、その調光レベルを基点にして、利用者の座席２から遠い照明１ほど低い調光レベルを設定するようにする。
具体的には、以下のようにして、各照明１の調光レベルを設定する。
【００５８】
まず、制御対象照明設定部１７（または２２）は、利用者の座席２から最近傍の照明１の調光レベルを仮設定する。
次に、制御対象照明設定部１７（または２２）は、最近傍の照明１と同じ制御領域内の他の照明１の調光レベルを仮設定する際、制御領域内の各照明１と利用者の座席２の間の距離を算出し、最近傍の照明１の調光レベルを基点として、その距離と反比例するように制御領域内の各照明１の調光レベルを仮設定する。
【００５９】
制御対象照明設定部１７（または２２）は、制御領域内の全ての照明１の調光レベルを仮設定すると、例えば、公知の逐点法を用いて、利用者の座席２の位置の照度を計算し、その照度が利用者により設定された目標の照度を上回っていれば、最近傍の照明１の調光レベルを規定値だけ下げて、再度同じ方法で他の照明１の調光レベルを仮決定し、逐点法を用いて、利用者の座席２の位置の照度を計算する。
一方、計算した照度が利用者により設定された目標の照度を下回っていれば、最近傍の照明１の調光レベルを規定値だけ上げて、再度同じ方法で他の照明１の調光レベルを仮決定し、逐点法を用いて、利用者の座席２の位置の照度を計算する。
制御対象照明設定部１７（または２２）は、上記計算を繰り返して、利用者の座席２の位置の照度が利用者により設定された目標の照度と一致すれば、上記計算処理を終了し、その時点の全ての照明１の調光レベルを制御テーブルに記録する。
【００６０】
以上で明らかなように、この実施の形態６によれば、利用者（あるいは、システム管理者）が選択受付部１５を操作して、利用者が在席中の目標の照度を設定した場合、制御対象照明設定部１７（または２２）が、利用者の座席２の照度１が目標の照度と一致する条件の下で、利用者の座席２から最近傍の照明１の調光レベルを設定し、その調光レベルを基点にして、利用者の座席２から遠い照明１ほど低い調光レベルを設定するように構成したので、利用者が全ての照明１の調光レベルを手入力で設定することなく、利用者の快適性を保ちながら、照明１の消費電力量を最小化することが可能な調光レベルを自動的に設定することができる効果を奏する。
【００６１】
実施の形態７．
上記実施の形態１〜５では、利用者が所望のモチーフを選択するものを示したが、さらに、利用者（あるいは、システム管理者）が選択受付部１５を操作して、利用者が在席中の目標の照度を設定するようにしてもよい。
利用者（あるいは、システム管理者）が選択受付部１５を操作して、利用者が在席中の目標の照度を設定した場合、調光レベル設定手段を構成する制御対象照明設定部１７（または２２）が、利用者の座席２の照度１が目標の照度と一致する条件の下で、制御領域内の各照明１の消費電力の総和が最小になる各照明１の調光レベルを設定するようにする。
具体的には、以下のようにして、各照明１の調光レベルを設定する。
【００６２】
制御対象照明設定部１７（または２２）は、制御領域内の全ての照明１の調光レベルを設定する際、その調光レベルから消費電力量を計算し、制御領域内の全ての照明１の消費電力量の総和が最小となる調光レベルを決定する。
全ての照明１の消費電力量の総和が最小となる調光レベルを決定するための手法として、例えば、線形計画法のような最適化問題の解法を利用する。
【００６３】
制御対象照明設定部１７（または２２）は、線形計画法を用いて、全ての照明１の消費電力量の総和が最小となる調光レベルを決定する際の制約条件として、調光レベルの最大値と最小値を許可範囲として与える。
制御対象照明設定部１７（または２２）は、その許可範囲内で、制御領域内の全ての照明１の調光レベルを組み合わせて、全ての照明１の消費電力量を計算し、その消費電力量の総和が最小となる調光レベルの組み合わせを最適解として特定する。
ただし、解空間の中で、最適解が存在しない場合は、調光レベルの最大値と最小値の許可範囲が広くなるよう変更してから、同様にして、消費電力量の総和が最小となる調光レベルの組み合わせを特定する。
【００６４】
また、最適解を得るための制約条件として、利用者の座席２を中心とする同心円の距離に反比例して照度を設定する条件を与える。
例えば、目標とする座席２の照度を７５０ルクスとして、利用者の座席２の位置から半径３メートルの同心円に位置する点での照度を２５０ルクスとするなどの条件が考えられる。
この制約条件の追加により、利用者の座席２の位置近傍の明るさを確保しながら、消費電力量が最小となる調光レベルを決定することができる。
【００６５】
以上で明らかなように、この実施の形態７によれば、利用者（あるいは、システム管理者）が選択受付部１５を操作して、利用者が在席中の目標の照度を設定した場合、制御対象照明設定部１７（または２２）が、利用者の座席２の照度１が目標の照度と一致する条件の下で、制御領域内の各照明１の消費電力の総和が最小になる各照明１の調光レベルを設定するように構成したので、利用者の座席２の照度が目標の照度を満たしながら、照明１の消費電力量を最小化することができる効果を奏する。また、最適解を得るための制約条件を変更することで、利用者の座席２の周囲の明度に極端な差が出ない調光レベル（利用者の座席２を中心として、徐々に暗くすることで不快感を解消する調光レベル）を得ることができる。
【００６６】
実施の形態８．
上記実施の形態１〜７では、制御機器４が照明１の調光レベルを制御する際、制御命令を照明コントローラ５に送信し、照明コントローラ５が当該制御命令にしたがって照明１の調光レベルを制御するものを示したが、図１５に示すように、照明コントローラ５が制御機器４の機能を実装するようにしてもよい。
照明コントローラ５が制御機器４の機能を実装することで、照明制御システムの構築作業の容易化が図られる。
【００６７】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００６８】
１  照明、２  座席、３  動態検知装置、４  制御機器、５  照明コントローラ、１１  モチーフ記憶部（モチーフ記憶手段）、１２  座席位置情報記憶部（座席位置情報記憶手段）、１３  照明情報記憶部（照明位置情報記憶手段）、１４  調光レベル記憶部、１５  選択受付部（選択受付手段）、１６  照明制御領域特定部（照明制御領域特定手段）、１７，２２  制御対象照明設定部（制御対象照明設定手段、調光レベル制御手段、調光レベル設定手段）、１８  在席判定部（在席判定手段）、１９  調光レベル制御部（調光レベル制御手段）、２１  対応関係記憶部（対応関係記憶手段）。
【図１】
0005669602.tif 000002
【図２】
0005669602.tif 000003
【図３】
0005669602.tif 000004
【図４】
0005669602.tif 000005
【図５】
0005669602.tif 000006
【図６】
0005669602.tif 000007
【図７】
0005669602.tif 000008
【図８】
0005669602.tif 000009
【図９】
0005669602.tif 000010
【図１０】
0005669602.tif 000011
【図１１】
0005669602.tif 000012
【図１２】
0005669602.tif 000013
【図１３】
0005669602.tif 000014
【図１４】
0005669602.tif 000015
【図１５】
0005669602.tif 000016